(57)【特許請求の範囲】
【請求項１】
受容部（20）と、前記受容部（20）に対して着脱自在に嵌め込むことができる嵌め込み部（30）と、前記受容部（20）の一端部と前記嵌め込み部（30）の一端部とを連結する折れ曲がり自在のヒンジ部（12）とを有しており、前記ヒンジ部（12）で折り曲げて、前記受容部（20）と前記嵌め込み部（30）の間に薄状物を挟み込んで固定できるクリップ（10）であり、
前記受容部（20）が、第１底部（27）と、前記第１底部（27）の両側縁から垂設された２つの第１外壁（22,23）を有しており、
前記受容部（20）の内部には、長さ方向に溝部（21）が形成されており、前記溝部（21）が、幅方向に間隔をおいて前記第１底部（27）内表面から垂設された２つの内部壁（24,25）により形成されたものであり、
前記溝部（21）を形成する２つの内部壁（24,25）が、それらの下方部において、２つの第１外壁（22,23）と２つの内部壁（24,25）間に長さ方向に間隔をおいて配置された複数のリブ（26a）と、２つの内部壁（24,25）間に長さ方向に間隔をおいて配置された複数のリブ（26b）で連結されており、
前記嵌め込み部（30）が、第２底部（37）と、前記第２底部（37）の両側縁から垂設された２つの外壁（32,33）を有しており、
前記嵌め込み部（30）の内部には、長さ方向に脚部（31）が形成されており、前記脚部（31）が、前記第２底部（37）内表面から垂設され、幅方向に間隔をおき、かつ長さ方向に形成された２つの内部壁（34,35）により形成されたものであり、
前記脚部（31）を形成する２つの内部壁（34,35）は、それらの下方部において、２つの外壁（32,33）と２つの内部壁（34,35）間と２つの内部壁（34,35）間に、長さ方向に間隔をおいて配置された複数のリブ（36）で連結されており、
前記脚部（31）の高さ（ｈ1）と前記第２底部（37）内表面から前記第２外壁（32,33）の頂部（32a,33a）までの高さ（Ｈ1）の比率（ｈ1／Ｈ1）が１．２〜２．０の関係を有しており、
受容部（20）と嵌め込み部（30）の間に薄状物を挟み込んだ状態で閉じたとき、受容部（20）の溝部（21）内に嵌め込み部（30）の脚部（31）が差し込まれる、クリップ（10）。
【請求項２】
前記溝部（21）を形成する２つの内部壁（24,25）が、
それらの下方部において、２つの内部壁（24,25）間に長さ方向に間隔をおいて配置された複数のリブ（26b）で連結され、
さらに第１外壁（22）と内部壁（24）の間と第１外壁（23）と内部壁（25）の間に長さ方向に間隔をおいて配置された、第１外壁（22,23）と同じ高さの複数のリブ（26a）で連結されている、請求項１記載のクリップ。
【請求項３】
前記受容部の第１底部の外表面と前記嵌め込み部の第２底部の外表面の少なくとも一方に磁石が取り付けられている、請求項１又は２記載のクリップ。
【請求項４】
前記受容部の第１底部の外表面と前記嵌め込み部の第２底部の外表面の少なくとも一方に粘着部が形成されている、請求項１又は２記載のクリップ。
【請求項５】
前記受容部の第１底部の外表面と前記嵌め込み部の第２底部の外表面のいずれか一方の外表面が、他の外表面よりも面積が大きくなるように設定されており、より大きな外表面側に、磁石、粘着部及び螺子止め用の穴のいずれか１以上が設けられている請求項１又は２記載のクリップ。
【請求項６】
前記受容部と前記嵌め込み部の間に薄状物を挟み込んで固定した状態のとき、外表面が、平滑面で凹凸が存在していない、請求項１〜５のいずれか１項に記載のクリップ。
【発明の詳細な説明】
【技術分野】
【０００１】
本発明は、袋口を閉じたり、紙を挟んで保存したりすることに使用できるクリップに関する。
【背景技術】
【０００２】
特許文献１、非特許文献１には、袋口を閉じたりするために使用する弾性ヒンジをもつクリップが記載されている。この発明に係わる商品は、袋口を閉じたりするときに非常に使い勝手が良く、商品名「クリップ・イット」（ダイセルファインケム（株））として販売されている。
【特許文献１】特公平７−５６２８４号公報
【非特許文献１】意匠登録９３３４７４号公報
【発明の開示】
【発明が解決しようとする課題】
【０００３】
本発明は、特許文献１の発明に係わるクリップを改良するもので、より使いやすく、より広い用途にも適用できるようなクリップを提供することを課題とする。
【課題を解決するための手段】
【０００４】
請求項１の発明は、課題の解決手段として、
受容部と、前記受容部に対して着脱自在に嵌め込むことができる嵌め込み部と、前記受容部の一端部と前記嵌め込み部の一端部とを連結する折れ曲がり自在のヒンジ部とを有しており、前記ヒンジ部で折り曲げて、前記受容部と前記嵌め込み部の間に薄状物を挟み込んで固定できるクリップであり、
前記受容部が、第１底部と、前記第１底部の両側縁から垂設された２つの第１外壁を有しており、
前記受容部の内部には、長さ方向に溝部が形成されており、前記溝部が、幅方向に間隔をおいて前記第１底部内表面から垂設された２つの内部壁により形成されたものであり、
前記溝部を形成する２つの内部壁が、それらの下方部において、２つの第１外壁と２つの内部壁間と２つの内部壁間に、長さ方向に間隔をおいて配置された複数のリブで連結されており、
前記嵌め込み部が、第２底部と、前記第２底部の両側縁から垂設された２つの外壁を有しており、
前記嵌め込み部の内部には、長さ方向に脚部が形成されており、前記脚部が、前記第２底部内表面から垂設され、幅方向に間隔をおき、かつ長さ方向に形成された２つの内部壁により形成されたものであり、
前記脚部を形成する２つの内部壁は、それらの下方部において、２つの外壁と２つの内部壁間と２つの内部壁間に、長さ方向に間隔をおいて配置された複数のリブで連結されており、
前記脚部の高さ（ｈ１）が、前記第２底部内表面から前記第２外壁の頂部までの高さ（Ｈ１）よりも高くなるように調整されている、クリップを提供する。
【０００５】
本発明のクリップは、様々な目的に応じて、受容部と嵌め込み部の間に薄状物を挟み込んだ状態で閉じて、前記薄状物を固定するものである。
【０００６】
本発明でいう薄状物は、紙、布又はプラスチック製等の袋、紙、布、プラスチックシート又はそれらを複数枚束ねたもの、チューブ製品（化粧クリーム、歯磨き、接着剤、各種ペースト状やゲル状の食品等が可撓性チューブに充填された形態の製品）等であり、挟むことができるものであればよい。
【０００７】
本発明のクリップは細長い形状のものであるが、幅と長さの寸法比は特に制限されず、目的に応じて適宜設定することができる。本発明のクリップは、長さの方が幅よりも十分に長いもの（例えば、長さが幅の５倍以上のもの）にすることができる。
【０００８】
本発明のクリップにおける受容部と嵌め込み部の結合方法と、特許文献１のクリップにおける２つのリム同士の結合方法は、基本的には同じである。
【０００９】
しかし、本発明では、リブは全て内部に形成されているが、引用文献１のクリップでは、本発明の嵌め込み部に相当するリブが外表面に形成されている点で構造が相違している。
【００１０】
引用文献１のクリップでは、外表面にリブを形成しているため、本発明の脚部に相当する部分の高さを低くせざるを得ない。
【００１１】
一方、本発明のクリップでは、リブが内部にのみ形成されているので、脚部を形成している２つの内部壁の高さ（脚部の高さ）を高くすることができる。このため、引用文献１のように内部壁に相当する部分の高さが低い場合に比べると、薄状物を挟み込んだときには、２つの内部壁（脚部）が互いに間隔を縮めるように内側方向に撓んで変形しやすくなるので、より小さな力で挟み込むことができるようになるほか、より厚みの大きなものを挟み込めるようになる。
【００１２】
また、脚部を形成している２つの内部壁の高さ（脚部の高さ）を高くできるため、脚部の溝部への差し込み深さが大きくなるように設定することで、挟み込み時の結合力がより高められるようにすることもできる。
【００１３】
受容部と嵌め込み部を固定するための手段は特に制限されず、例えば、引用文献１に記載のロック機構と同じものにすることができる。
【００１４】
請求項２の発明は、課題の他の解決手段として、前記脚部の高さ（ｈ１）と前記第２底部内表面から前記第２外壁の頂部までの高さ（Ｈ１）の比率（ｈ１／Ｈ１）が１．２〜２．０の関係を有している、請求項１記載のクリップを提供する。
【００１５】
本発明のクリップは、溝部と脚部を補強するためのリブが内側に形成されているため、引用文献１のクリップと比べると、脚部の最大高さをより大きくすることができる。このため、脚部の最大高さを広い範囲で調整でき、それに応じて溝部の深さも広い範囲で調整できるようになる。
【００１６】
請求項３の発明は、課題の他の解決手段として、前記受容部の第１底部の外表面と前記嵌め込み部の第２底部の外表面の少なくとも一方に磁石が取り付けられている、請求項１又は２記載のクリップを提供する。
【００１７】
このように磁石が取り付けられていると、本発明のクリップに薄状物を挟み込んだあと、金属壁面（例えば、冷蔵庫）に着脱自在に取り付けることができる。また、クリップを金属壁面に着脱自在に取り付けることによって、所在が明らかになり、紛失を防止することができる。
【００１８】
請求項４の発明は、課題の他の解決手段として、前記受容部の第１底部の外表面と前記嵌め込み部の第２底部の外表面の少なくとも一方に粘着部が形成されている、請求項１又は２記載のクリップを提供する。
【００１９】
このように粘着部が取り付けられていると、本発明のクリップに薄状物を挟み込んだあと、クリップを壁面に固定することができる。なお、粘着部を設けたときは、未使用時には粘着面に剥離紙を貼り付けておく。また、クリップを壁面に固定することによって、所在が明らかになり、紛失を防止することができる。
【００２０】
請求項５の発明は、課題の他の解決手段として、前記受容部の第１底部の外表面と前記嵌め込み部の第２底部の外表面のいずれか一方の外表面が、他の外表面よりも面積が大きくなるように設定されており、より大きな外表面側に、磁石、粘着部及び螺子止め用の穴のいずれか１以上が設けられている請求項１又は２記載のクリップを提供する。
【００２１】
このように、いずれか一方の外表面を他の外表面よりも面積が大きくなるように設定することにより、壁面等に対する固定強度がより高められる。
【００２２】
請求項６の発明は、課題の他の解決手段として、前記受容部と前記嵌め込み部の間に薄状物を挟み込んで固定した状態のとき、外表面が、平滑面で凹凸が存在していない、請求項１〜５のいずれかに記載のクリップを提供する。
【００２３】
引用文献１のクリップは、外表面にリブがあるため、平滑面にすることができない。しかし、本発明のクリップは、内部にリブがあるため、外表面を平滑面にすることができる。このため、クリップの外表面に様々な図形や模様を付すことで、商品価値を高めることができるほか、広告文字等の印字も容易になる。
【発明の効果】
【００２４】
本発明のクリップは、引用文献１のクリップと比べると、より小さな力で、より厚みの大きなものを挟み込んで固定できる。
【発明を実施するための最良の形態】
【００２５】
図１〜図８により、本発明のクリップの一実施形態を説明する。図１は、本発明のクリップが開かれた状態の斜視図；図２は、本発明のクリップが閉じられた状態の斜視図；図３は、図１の状態における部分平面図；図４（ａ）は、図１の状態における受容部の幅方向断面図（リブがない部分での断面図）；図４（ｂ）は、図１の状態における嵌め込み部の幅方向断面図（リブがない部分での断面図）；図５は、クリップで薄状物を挟み込んだときの幅方向断面図（リブがない部分での断面図）；図６、図７は、それぞれ図４、図５に対応する別実施形態の図；図８は、図２の状態におけるロック部分の構造を示す側面図である。
【００２６】
クリップ１０は、受容部２０と、受容部２０に対して着脱自在に嵌め込むことができる嵌め込み部３０が、折れ曲がり自在のヒンジ部１２で連結されたもので、図１、図２に示すような細長い形状をしており、外表面は平滑面である。クリップ１０は、樹脂、金属、木、紙、等又はこれらの組み合わせにより形成することができる。
【００２７】
受容部２０は、第１底部２７と、第１底部２７の両側縁から垂設された２つの第１外壁２２、２３を有しており、長さ方向の一端側にはヒンジ部１２があり、長さ方向の他端側にはロック部１３を有している。
【００２８】
受容部２０の第１底部２７と２つの第１外壁２２、２３で囲まれた内部には、長さ方向に溝部２１が形成されている。溝部２１は、幅方向に間隔をおいて第１底部２７の内表面２７ａと、前記内表面２７ａから垂設された２つの内部壁２４、２５により形成されたものである。２つの内部壁２４、２５の内側表面は、図４（ａ）に示すとおり、互いの先端部分の間隔が拡がるような傾斜面２４ａ、２５ａを有している。溝部２１は、受容部２０の一端側から他端側のほぼ全体にわたって連続的に形成されている。
【００２９】
溝部２１を形成する２つの内部壁２４、２５は、それらの下方部において、２つの第１外壁２２、２３と２つの内部壁２４、２５の間に、長さ方向に間隔をおいて配置された複数のリブ２６ａと、２つの内部壁２４、２５間に、長さ方向に間隔をおいて配置された複数のリブ２６ｂで連結されている。これらの複数のリブ２６ａ、２６ｂにより、内部壁２４、２５が補強されている。図４（ａ）では、リブ２６ａの高さがリブ２６ｂよりも高くなっているが、リブ２６ａとリブ２６ｂが同程度の高さでもよいし、リブ２６ａの高さがリブ２６ｂの高さよりも低くてもよい。
【００３０】
複数のリブ２６ａ、２６ｂによる内部壁２４、２５の補強効果は、リブ２６ａ、２６ｂの数を多くすることと共に、リブ２６の高さを大きくすることで向上される。このため、クリップ１０の使用目的等に応じて、より補強効果を高めようとする場合には、図６（ａ）に示すように、リブ２６ａの高さを２つの第１外壁２２、２３の高さと同程度にすることができる。また、リブ２６ａの高さは、図４（ａ）と図６（ａ）のリブ２６ａの高さ間の任意の高さにすることもできる。
【００３１】
嵌め込み部３０は、第２底部３７と、第２底部３７の両側縁から垂設された２つの外壁３２、３３を有しており、長さ方向の一端側にはヒンジ部１２があり、長さ方向の他端側にはロック部１３と着脱自体に結合される突起部１６を有している。
【００３２】
嵌め込み部３０の第２底部３７と２つの第２外壁３２、３３で囲まれた内部には、長さ方向に脚部３１が形成されている。脚部３１は、幅方向に間隔をおいて第２底部３７の内表面３７ａから垂設された２つの内部壁３４、３５により形成されたものである。２つの内部壁３４、３５の外側表面は、図４（ｂ）に示すとおりの傾斜面３４ａ、３５ａを有している。脚部３１は、脚部３０の一端側から他端側のほぼ全体にわたって連続的に溝部２１と同じ長さだけ形成されている。
【００３３】
脚部３１を形成する２つの内部壁３４、３５は、それらの下方部において、２つの第２外壁３２、３３と２つの内部壁３４、３５の間と、２つの内部壁３４、３５間に、長さ方向に間隔をおいて配置された複数のリブ３６で連結されている。これらの複数のリブ３６により、内部壁３４、３５が補強されている。２つの内部壁３４、３５の先端部の間隔ｗ１は、未使用時には一定間隔である。図４（ｂ）では、リブ３６の高さは均一であるが、２つの第２外壁３２、３３と２つの内部壁３４、３５の間のリブ３６と、２つの内部壁３４、３５間のリブ３６の高さを異ならせてもよい。
【００３４】
複数のリブ３６による内部壁３４、３５の補強効果は、リブ３６の数を多くすることと共に、リブ３６の高さを大きくすることで向上される。このため、クリップ１０の使用目的等に応じて、より補強効果を高めようとする場合には、図６（ｂ）に示すように、リブ３６の高さを２つの第１外壁３２、３３の高さと同程度にすることができる。また、リブ３６の高さは、図４（ｂ）と図６（ｂ）のリブ３６の高さ間の任意の高さにすることもできる。
【００３５】
脚部３１の高さ（ｈ１）と、第２底部内表面３７ａから第２外壁の頂部３２ａ、３３ａまでの高さ（Ｈ１）の比率（ｈ１／Ｈ１）は１．２〜２．０の関係を満たしていることが好ましい。
【００３６】
上記のｈ１／Ｈ１の比率を大きくすることで、脚部３１の突き出し高さｈ２（脚部３１が頂部３２ａ、３３ａより上に突き出している部分の高さ）を大きくすることができる。この脚部３１の突き出し高さｈ２と溝部２１の深さｈ３は、ｈ３≧ｈ２の関係を有しているものである。溝部２１の深さｈ３は、リブ２６ｂの高さにより調整される。
【００３７】
次に、本発明のクリップ１０の使用方法を説明する。まず、薄状物（例えば開封した袋の口部分）を図１に示す受容部２０の上に置く。次に、ヒンジ部１２において嵌め込み部３０を折り曲げて、ロック部１３に突起部１６を嵌め込んで固定する（薄状物がないほかは、図２に示す状態となる）。
【００３８】
このときの受容部２０と嵌め込み部３０と薄状物５０との関係が図５又は図７に示されている。図５又は図７に示すとおり、薄状物５０を挟み込んだとき、脚部３１（２つの内部壁３４、３５）の先端部は、互いに接近するように内側に撓んでいる（図４（ｂ）又は図６（ｂ）の状態と比べると、互いの先端部の間隔ｗ１が小さくなっている）。薄状物５０の厚みが部分的に異なっている場合、２つの内部壁３４、３５の間隔ｗ１も部分的に異なるように撓んで変形する。
【００３９】
クリップ１０では、リブ３６が内部に形成されているため、脚部３１の２つの内部壁３４、３５の高さ（ｈ１）を高くすることができ（即ち、脚部３１の突き出し高さｈ２を高くすることができ）、これにより、図示するように先端部が撓みやすくなる。このため、従来（引用文献１のクリップ）と比べると、より厚みの大きな薄状物５０を、より小さな力で挟み込むことができるようになる。
【００４０】
クリップ１０から薄状物５０を外すときは、ロック部１３と突起部１６の結合を解除して、受容部２０から嵌め込み部３０を離して、図１のような状態にすればよい。なお、ロック部１３と突起部１６は、図８に示すように、引用文献１のクリップにおけるロック機構と同じにすることができる。ロック部１３は、弾性部材からなるもので、ロック部本体１４と爪部１５を有している。突起部１６は、嵌め込み部３０の端部から突き出された突起である。受容部２０に嵌め込み部３０を嵌め込んだとき、突起部１６が爪部１５を押すため、本体１４が反り返るように変形し、突起部１６が爪部１５の下に入り込む。その後、本体１４が変形前の形状に復元するため、突起部１６は爪部１５で押さえ付けられて保持される。ロック部１３と突起部１６の結合を解除するときは、本体１４が反り返るように指で押すことで、爪部１５で押さえ付けられていた突起部１６が開放される。
【００４１】
次に、図９、図１０により、別実施形態のクリップについて説明する。図９、図１０は、別実施形態のクリップの図２の状態における幅方向断面図（リブがない部分での断面図）である。
【００４２】
図９の形態では、受容部２０の第１底部２７の外表面２７ｂ側には、磁石４１（又は剥離紙で被覆された粘着部４１）が埋設されている。図９の形態のクリップ１０が磁石４１を有しているときは、クリップ１０で薄状物を挟み込んだ後、冷蔵庫の側面等の金属面に着脱自在に保持させることができる。また、図９の形態のクリップ１０が粘着部４１を有しているときは、所望の壁面等にクリップ１０を固着させた後、所望の薄状物を挟み込むことができる。更に、磁石又は粘着部を有することによって、クリップを壁面等に保持できるようになるため、クリップの所在が明らかになり、紛失を防止することができる。
【００４３】
図１０の形態では、受容部２０の第１底部２７の外表面２７ｂが、第２底部３７の外表面３７ｂよりも大きくなっている。そして、第１底部２７の外表面２７ｂ側には、磁石４１（又は剥離紙で被覆された粘着部４１）が埋設されており、残部には、複数の螺子止め用の孔４３が形成されている。図１０の形態では、図９の形態よりも磁石４１又は粘着部４１の面積を大きくすることができるので、金属面や他の壁面等への保持力がより高められる。更に螺子止め用の孔４３を有しているため、粘着部４１と併用することで、壁面等への固着力がより高められる。
【００４４】
本発明のクリップは、各種内容物の入った袋口を閉じる場合、メモ用紙、予定表、カレンダー、タオル等を挟み込む場合、残量の少なくなったチューブ製品から内容物を押し出す場合等に使用することができる。
【００４５】
〔試験例１〕
本発明のクリップと、比較品としての商品名「クリップ・イット」（ダイセルファインケム（株））の挟み強度を測定した。
【００４６】
本発明のクリップは、図１１に示す寸法のものを用いた。図６に示すｈ１＝１２．１ｍｍ、ｈ２＝４．８ｍｍ、ｈ３＝５．１ｍｍである。
【００４７】
商品名「クリップ・イット」は、特許文献１及び非特許文献１の図に示されている外観及び構造のものである。全長９０ｍｍ、高さ２１ｍｍ、幅１２ｍｍである。
【００４８】
（試験方法）
二軸延伸ポリプロピレンフィルム３０μmと無延伸ポリプロピレンフィルム２０μmをラミネートした、合計厚さ５０μmで、長さ２１ｃｍの試験用フィルム（包装用フィルムとして汎用されているもの）を４枚重ねしたものと、８枚重ねしたものを用意し、それぞれの一端側を台上に固定した。
【００４９】
次に、試験用フィルム束の他端側から５ｃｍの位置をクリップで挟み込んだ後、クリップのロック部側の隙間１０１と、ヒンジ部１２側の隙間１０２に非伸縮性の輪を通し、前記輪を金属製の棒に固定した。なお、比較用クリップである商品名「クリップ・イット」にも、前記隙間１０１と隙間１０２に相当する隙間があるので、それらを利用した。
【００５０】
次に、前記金属製の棒の中央部にばね計り（バネ式天秤，秤量２ｋｇ，（株）三光精衡）のフックを引っ掛け、前記フックと棒をプラスチック製の締め付け具で固定した。その後、ばね計りを引っ張り、クリップがずれたときの引っ張り荷重を計測した。結果を表１、表２に示す。
【００５１】
【表１】
0004838207.tif 000002
【００５２】
【表２】
0004838207.tif 000003
【図面の簡単な説明】
【００５３】
【図１】本発明のクリップが開かれた状態の斜視図。
【図２】本発明のクリップが閉じられた状態の斜視図。
【図３】図１の状態における部分平面図。
【図４】（ａ）は図１の状態における受容部の幅方向断面図、（ｂ）は図１の状態における嵌め込み部の幅方向断面図。
【図５】図２の状態における幅方向断面図。
【図６】図４とは別実施形態のもので、（ａ）は図１の状態における受容部の幅方向断面図、（ｂ）は図１の状態における嵌め込み部の幅方向断面図。
【図７】図４とは別実施形態のもので、図２の状態における幅方向断面図。
【図８】図２の状態におけるロック部のロック状態を示す側面図。
【図９】図２の状態における別実施形態の幅方向断面図。
【図１０】図２の状態における更に別実施形態の幅方向断面図。
【図１１】挟み強度の試験方法を説明するための図。
【符号の説明】
【００５４】
１０  クリップ
１２  ヒンジ部
２０  受容部
２１  溝部
３０  嵌め込み部
３１  脚部
【図１】
0004838207.tif 000004
【図２】
0004838207.tif 000005
【図３】
0004838207.tif 000006
【図４】
0004838207.tif 000007
【図５】
0004838207.tif 000008
【図６】
0004838207.tif 000009
【図７】
0004838207.tif 000010
【図８】
0004838207.tif 000011
【図９】
0004838207.tif 000012
【図１０】
0004838207.tif 000013
【図１１】
0004838207.tif 000014